【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
磁気共鳴イメージングシステムであって、前記磁気共鳴イメージングシステムは、
磁気共鳴データを取得するための複数のコイル要素を含む無線周波数システムと、
機械実行可能命令及びパルスシーケンスコマンドを記憶するためのメモリであって、前記パルスシーケンスコマンドは、前記磁気共鳴データのｋ空間におけるアンダーサンプリングに起因する折り返し効果に関連付けられたＳＥＮＳＥイメージングプロトコルに従って前記磁気共鳴データを取得するよう、前記磁気共鳴イメージングシステムを制御する、メモリと、
前記磁気共鳴イメージングシステムを制御するためのプロセッサとを備え、前記機械実行可能命令の実行により、前記プロセッサは、
前記パルスシーケンスコマンドを使用して、前記磁気共鳴データを取得するよう前記磁気共鳴イメージングシステムを制御し、
前記磁気共鳴データから、折り返された磁気共鳴画像のセットを再構成し、
磁場不均一性マップからボクセル変形マップを計算し、
前記複数のコイル要素のためのコイル感度行列を少なくとも部分的に使用して展開行列のセットを計算し、ここで、前記展開行列のセットは、少なくとも１つの改変された展開行列を含み、前記少なくとも１つの改変された展開行列は、前記コイル感度行列及び前記ボクセル変形マップを少なくとも部分的に使用して計算され、前記少なくとも１つの改変された展開行列は、磁場における不均一性に起因する折り返しアーチファクトに似た追加アーチファクトの補正を可能にし、
前記折り返された磁気共鳴画像のセット及び前記展開行列のセットを使用して、歪んでいない磁気共鳴画像データを計算する、磁気共鳴イメージングシステム。
【請求項２】
前記機械実行可能命令の実行より、前記プロセッサはさらに、前記ボクセル変形マップを用いて前記歪んでいない磁気共鳴画像データを変換することによって、改変された磁気共鳴画像データを計算する、請求項１に記載の磁気共鳴イメージングシステム。
【請求項３】
前記改変された展開行列は、前記コイル感度行列を前記ボクセル変形マップを用いて変換することによって少なくとも部分的に計算される、請求項１又は２に記載の磁気共鳴イメージングシステム。
【請求項４】
前記ＳＥＮＳＥイメージングプロトコルはエコープラナーイメージングプロトコルであり、前記エコープラナーイメージングプロトコルは、少なくとも１つの位相符号化方向における位相符号化を用いて磁気共鳴データを取得するように構成され、前記ボクセル変形マップは、前記少なくとも１つの位相符号化方向における局所磁場歪みを記述する、請求項１から３のいずれか一項に記載の磁気共鳴イメージングシステム。
【請求項５】
前記少なくとも１つの位相符号化方向は２つの位相符号化方向であり、前記ＳＥＮＳＥイメージングプロトコルは３次元ＳＥＮＳＥイメージングプロトコルであり、前記２つの直交する位相符号化方向のうちの１つはスライス選択のために構成される、請求項１から４のいずれか一項に記載の磁気共鳴イメージングシステム。
【請求項６】
前記ＳＥＮＳＥイメージングプロトコルは同時マルチスライス取得イメージングプロトコルである、請求項１から３のいずれか一項に記載の磁気共鳴イメージングシステム。
【請求項７】
前記改変された展開行列は、フィードフォワードフォーマットで定式化される、請求項１から６のいずれか一項に記載の磁気共鳴イメージングシステム。
【請求項８】
前記改変された展開行列は、正則化項を用いて少なくとも部分的に計算される、請求項７に記載の磁気共鳴イメージングシステム。
【請求項９】
前記正則化項は、前記ボクセル変形マップによって改変された組織の存在の推定である、請求項８に記載の磁気共鳴イメージングシステム。
【請求項１０】
前記ＳＥＮＳＥイメージングプロトコルは、マルチショットＳＥＮＳＥイメージングプロトコルである、請求項１から９のいずれか一項に記載の磁気共鳴イメージングシステム。
【請求項１１】
前記ボクセル変形マップは、前記パルスシーケンスコマンド及び前記磁場不均一性マップを用いて計算される、請求項１から１０のいずれか一項に記載の磁気共鳴イメージングシステム。
【請求項１２】
前記機械実行可能命令の実行により、前記プロセッサはさらに、
コイル感度測定磁気共鳴イメージングプロトコルを使用して予備磁気共鳴データを取得し、
前記予備磁気共鳴データを使用して前記コイル感度行列を計算する、請求項１から１１のいずれか一項に記載の磁気共鳴イメージングシステム。
【請求項１３】
前記機械実行可能命令の実行により、前記プロセッサはさらに、
磁場測定磁気共鳴イメージングプロトコルを使用して磁場磁気共鳴データを取得し、
前記磁場磁気共鳴データを使用して前記磁場不均一性マップを計算する、請求項１から１２のいずれか一項に記載の磁気共鳴イメージングシステム。
【請求項１４】
磁気共鳴イメージングシステムを制御するためのプロセッサによって実行される機械実行可能命令を含むコンピュータプログラムであって、前記磁気共鳴イメージングシステムは、磁気共鳴データを取得する複数のコイル要素を含む無線周波数システムを含み、無線周波数アンテナは複数のコイル要素を含み、前記プロセッサによって、
パルスシーケンスコマンドを使用して前記磁気共鳴データを取得するよう前記磁気共鳴イメージングシステムを制御し、ここで、前記パルスシーケンスコマンドは、前記磁気共鳴データのｋ空間におけるアンダーサンプリングに起因する折り返し効果に関連付けられたＳＥＮＳＥイメージングプロトコルに従って前記磁気共鳴データを取得するよう、前記磁気共鳴イメージングシステムを制御し、
前記磁気共鳴データから折り返された磁気共鳴画像のセットを再構成し、
磁場不均一性マップからボクセル変形マップを計算し、
前記複数のコイル要素のためのコイル感度行列を少なくとも部分的に使用して展開行列のセットを計算し、ここで、前記展開行列のセットは、少なくとも１つの改変された展開行列を含み、前記少なくとも１つの改変された展開行列は、前記コイル感度行列及び前記ボクセル変形マップを少なくとも部分的に使用して計算され、前記少なくとも１つの改変された展開行列は、磁場における不均一性に起因する折り返しアーチファクトに似た追加アーチファクトの補正を可能にし、
前記折り返された磁気共鳴画像のセット及び前記展開行列のセットを使用して、歪んでいない磁気共鳴画像データを計算する、コンピュータプログラム。
【請求項１５】
磁気共鳴イメージングシステムを用いた磁気共鳴イメージング方法であって、前記磁気共鳴イメージングシステムは、磁気共鳴データを取得するための複数のコイル要素を含む無線周波数システムを含み、前記方法は、
パルスシーケンスコマンドを使用して前記磁気共鳴データを取得するよう前記磁気共鳴イメージングシステムを制御するステップであって、前記パルスシーケンスコマンドは、前記磁気共鳴データのｋ空間におけるアンダーサンプリングに起因する折り返し効果に関連付けられたＳＥＮＳＥイメージングプロトコルに従って前記磁気共鳴データを取得するよう、前記磁気共鳴イメージングシステムを制御する、ステップと、
前記磁気共鳴データから折り返された磁気共鳴画像のセットを再構成するステップと、
磁場不均一性マップからボクセル変形マップを計算するステップと、
前記複数のコイル要素のためのコイル感度行列を少なくとも部分的に使用して展開行列のセットを計算するステップであって、前記展開行列のセットは、少なくとも１つの改変された展開行列を含み、前記少なくとも１つの改変された展開行列は、前記コイル感度行列及び前記ボクセル変形マップを少なくとも部分的に使用して計算され、前記少なくとも１つの改変された展開行列は、磁場における不均一性に起因する折り返しアーチファクトに似た追加アーチファクトの補正を可能にする、ステップと、
前記折り返された磁気共鳴画像のセット及び前記展開行列のセットを使用して、歪んでいない磁気共鳴画像データを計算するステップとを含む、磁気共鳴イメージング方法。
【手続補正２】
【補正対象書類名】明細書
【補正対象項目名】００４８
【補正方法】変更
【補正の内容】
【００４８】
コンピュータ実行可能コードは、プロセッサに本発明の側面を実行させる機械実行可能命令又はプログラムを含むことができる。本発明の側面の動作を実施するためのコンピュータ実行可能コードは、Ｊａｖａ（登録商標）、Ｓｍａｌｌｔａｌｋ（登録商標）、Ｃ＋＋などのオブジェクト指向プログラミング言語、及びＣ言語のような従来の手続き型プログラミング言語、又は同様なプログラミング言語のうちの１つ又は複数の任意の組み合わせで記述され、機械実行可能命令にコンパイルされ得る。場合によっては、コンピュータ実行可能コードは、高水準言語の形態又はプリコンパイルされた形態であってもよく、オンザフライで機械実行可能命令を生成するインタプリタとともに使用されてもよい。